(57)【要約】【課題】  特に、筆記面に予め文字や罫線が設けられた黒板において、製作工程を簡素化し、文字や罫線の剥がれや擦れを防止し、耐水性及び耐久性の向上を図るとともに、さらに、緻密で詳細な図形などをも予め設けておくことを可能とする。【解決手段】  表面が印刷面、または、カラーシートとなされた基板３の表面上に、透明、または、半透明のフィルム１を貼付して黒板を構成する。透明、または、半透明のフィルム１は、表面が粗面となっている。このフィルム１に対しては、従来の黒板の表面と同様に、白墨による筆記及び消去が可能である。また、基板３の表面に対しては、パーソナルコンピュータ等により作成した図形や文字、罫線等を印刷したシート体２を貼付けることとしてもよい。【選択図】      図１
2005313326.tif 000002
【特許請求の範囲】
【請求項１】
表面が印刷面、または、カラーシートとなされた基板と、
前記基板の表面上に貼付された透明、または、半透明のフィルムと
を備え、
前記透明、または、半透明のフィルムは、表面が粗面となっている
ことを特徴とする黒板。
【発明の詳細な説明】
【技術分野】
【０００１】
本発明は、工事用記録写真などにおいて使用される黒板に関し、特に、筆記面に文字や罫線が設けられた黒板に関する。
【背景技術】
【０００２】
従来の黒板は、木製の基板の表面を塗料等により下地処理し、さらに、特殊塗料を吹付けることにより、表面を黒色や緑色の粗面に仕上げることにより作成されている。
【０００３】
また、建築や土木作業現場においては、工程毎に現場の写真を撮影する必要があり、その際には、日時、工事名、施工者など必要な事項を記載した黒板を設置し、この黒板を写真の中に入るようにして撮影している。このような工事用記録写真などにおいて使用する黒板は、予め、筆記面に文字や罫線を設けておく必要がある。
【０００４】
黒板の筆記面におけるこれらの文字や罫線は、黒板の筆記面に白色の塗料によって手書きで書き込んだり、または、白色の切り文字シートを貼り付けることによって作成されている。
【０００５】
【特許文献１】特開２００１−０２２３０９公報
【発明の開示】
【発明が解決しようとする課題】
【０００６】
ところで、前述のように工事用記録写真などにおいて使用する黒板においては、黒板を製作した後に、手書きや切り文字シート等で文字や罫線を記入、または、貼付けすることに、多大な手間が必要であった。
【０００７】
また、このようにして作成された文字や罫線は、使用中における剥がれや擦れも多く、特に、水分の多い場所での使用には適さないものであった。
【０００８】
そこで、本発明は、特に、筆記面に予め文字や罫線が設けられた黒板において、製作工程が簡素化され、文字や罫線の剥がれや擦れが防止され、耐水性と耐久性の向上が図られるとともに、さらに、緻密で詳細な図形などをも予め設けておくことが可能となされた黒板を提供することを目的とする。
【課題を解決するための手段】
【０００９】
前述の課題を解決するため、本発明に係る黒板は、表面が印刷面、または、カラーシートとなされた基板と、この基板の表面上に貼付された透明、または、半透明のフィルムとを備え、透明、または、半透明のフィルムは、表面が粗面となっていることを特徴とするものである。
【００１０】
基板の表面に対しては、パーソナルコンピュータ等により作成した図形や文字、罫線等を印刷したシート体を貼付けることとしてもよい。
【００１１】
透明、または、半透明のフィルムに対しては、従来の黒板の表面と同様に、白墨による筆記及び消去が可能である。
【００１２】
なお、この黒板における基板は、フィルムが貼り付くものであれば、形状や材質を問わず使用することができ、磁性を帯びたものとしてもよく、さらに、既存の壁や掲示板等を基板として黒板を構成することもできる。
【発明の効果】
【００１３】
本発明に係る黒板においては、印刷面、または、カラーシートとなされた基板の表面において、パーソナルコンピュータ等により作成した図形や文字、罫線等を予め表示しておくことができ、そして、これら図形や文字、罫線等に重ねて、半透明のフィルムに対して、白墨による筆記及び消去が可能である。
【００１４】
すなわち、本発明は、特に、筆記面に予め文字や罫線が設けられた黒板において、製作工程が簡素化され、文字や罫線の剥がれや擦れが防止され、耐水性と耐久性の向上が図られるとともに、さらに、緻密で詳細な図形などをも予め設けておくことが可能となされた黒板を提供することができるものである。
【発明を実施するための最良の形態】
【００１５】
以下、本発明を実施するための最良の形態について図面を参照して説明する。
【００１６】
図１は、本発明に係る黒板の構成を示す断面図である。
【００１７】
この黒板は、図１に示すように、表面が印刷面、または、カラーシートとなされた基板３と、この基板３の表面上に貼付された透明、または、半透明のフィルム１とを備えている。透明、または、半透明のフィルム１は、表面が曇りガラス状の粗面となっている。この透明、または、半透明のフィルム１の表面に対しては、従来の黒板の表面と同様に、白墨による筆記及び消去が可能である。
【００１８】
このフィルム１は、塩化ビニール、たまは、アクリルなどの合成樹脂材料により形成されている。このフィルム１の表面部は、サンドペーパーの粗目の数値で「８００番程度」、すなわち、表面粗さとして、１０μｍ乃至３０μｍ程度とすることが好ましい。
【００１９】
基板３の表面には、図形や文字、罫線等を予め印刷しておくことができる。この基板３は、フィルム１が貼り付けられるものであれば、形状や材質を問わず使用することができ、磁性を帯びたものや、磁石が付くような軟磁性材料からなるものとしてもよい。
【００２０】
図２は、本発明に係る黒板を工事現場等において使用する記録撮影用黒板として構成した例を示す斜視図である。
【００２１】
この黒板は、図２に示すように、工事現場等において使用する記録撮影用黒板４として構成することができる。
【００２２】
図３は、本発明に係る黒板を野球場等に設置されるスコアボードとして構成した例を示す斜視図である。
【００２３】
この黒板は、図３に示すように、野球場等に設置されるスコアボード５として構成することができる。
【００２４】
また、基板３とフィルム１との間には、図１に示すように、プリントシート（印刷したシート）２、または、カラーシートを貼り付けておくことができる。このプリントシート２としては、パーソナルコンピュータ等により作成した図形や文字、罫線等を印刷したシート体を用いることができる。
【００２５】
すなわち、パーソナルコンピュータ等により作画、印字したデータを、インクジェットプリンタ等により出力したものを、基板１の表面に貼り付けておき、さらに、その上にフィルム１を貼り付けることにより、図形や文字、罫線等に重ねて白墨による筆記及び消去が可能な黒板が構成される。
【００２６】
このように構成された本発明に係る黒板においては、印刷面、または、カラーシートとなされた基板３の表面において、パーソナルコンピュータ等により作成した図形や文字、罫線等を予め表示しておくことができ、そして、これら図形や文字、罫線等に重ねて、半透明のフィルム１に対して、白墨による筆記及び消去が可能である。
【００２７】
すなわち、本発明によれば、特に、筆記面に予め文字や罫線が設けられた黒板において、製作工程を簡素化し、文字や罫線の剥がれや擦れを防止し、耐水性と耐久性を向上させ、さらに、緻密で詳細な図形などをも予め設けておくことが可能となる。
【００２８】
さらに、本発明においては、既存の壁や掲示板、スコアボード等を基板として使用し、この表面にフィルム１を貼り付けることによって、黒板を構成することもできる。
【図面の簡単な説明】
【００２９】
【図１】本発明に係る黒板の構成を示す断面図である。
【図２】本発明に係る黒板を工事現場等において使用する記録撮影用黒板として構成した例を示す斜視図である。
【図３】本発明に係る黒板を野球場等に設置されるスコアボードとして構成した例を示す斜視図である。
【符号の説明】
【００３０】
１  フィルム
２  プリントシート
３  基板
４  記録撮影用黒板
５  スコアボード
【図１】
2005313326.tif 000003
【図２】
2005313326.tif 000004
【図３】
2005313326.tif 000005